(57)【特許請求の範囲】
【請求項１】
窓枠（又は門枠）母材３１に表面材３２、３２、３２とレール詰込み装置溝３３、３３を設け、レール詰込み装置溝３３、３３に対応しレール詰込み装置母材３４、伸縮性部材３５、レール詰込み部材３６及びローラー支持部材３７からなるレール詰込み装置３８、３８をレール詰込み装置溝３３、３３に挿入した窓枠（又は門枠）下部材３と、
レール詰込み装置３８、３８と対応するように突出部４１、４１が設けられた高さ調節ローラー４２、４２を窓の扉（又は門の扉）母材４３、４３に設けられたローラー溝４４、４４に挿入してローラー４２、４２が突出部４１、４１とレール詰込み装置３８、３８によって案内されて駆動されるようにし、窓の扉（又は門の扉）母材４３、４３と表面材３２、３２、３２の間の気密性を維持するためにガスケット４５、４５、４５、４５を設置した窓の扉（又は門の扉）下部材４ａ、４ｂと、
窓枠（又は門枠）母材８１が窓枠（又は門枠）下部材３の窓枠（又は門枠）母材３１と同一であるが、レール詰込み装置溝３３、３３を窓の扉（又は門の扉）上部材９ａ、９ｂの上端挿入部９１、９１が挿入される支持溝８２、８２にした窓枠（又は門枠）上部材８と、
上端挿入部９１、９１に離脱防止調節ローラー９３、９３を設置して窓の扉（又は門の扉）の離脱防止構造を形成した窓の扉（又は門の扉）上部材９ａ、９ｂで構成されて平面構造としたことを特徴とするレール詰込み形スライディング窓戸装置。
【請求項２】
表面材５２、５２、５２、６２、６２、６２を額縁形に設けた窓枠（又は門枠）下部材５、６と、
これと対応するように高さを調整した窓の扉（又は門の扉）下部材７ａ、７ｂと、
表面材１０２、１０２、１０２、２０２、２０２、２０２を額縁形に設けた窓枠（又は門枠）上部材１０、２０と、
これと対応するように高さを調整した窓の扉（又は門の扉）上部材３０ａ、３０ｂで構成されて額縁形構造としたことを特徴とする、請求項１記載のレール詰込み形スライディング窓戸装置。
【請求項３】
室外側窓の扉（又は門の扉）４ａ、７ａ、９ａ、３０ａ又は室内側窓の扉（又は門の扉）４ｂ、７ｂ、９ｂ、３０ｂを固定窓（又は固定門）４０、５０で置き換え、ガスケット４０１、４０１、５０１、５０１で仕上げをし、固定窓（又は固定門）が設置されない区間の溝６０は固定窓（又は固定門）溝蓋７０で仕上げをしたことを特徴とする、請求項１又は請求項２記載のレール詰込み形スライディング窓戸装置。
【発明の詳細な説明】
【０００１】
発明の属する技術分野
本明細書において、門は窓と同一なので、窓に関する説明は門を含む。
【０００２】
本発明のスライディング窓戸装置は窓枠上、下、左、右部材を四角形に組立てて窓枠を形成して壁面に設置し、窓の扉上、下、左、右部材を四角形に組立てて窓の扉を形成して窓枠に設置することによって室外のホコリ、雨水、空気、騷音、熱の流れを遮断する。
【０００３】
従来の技術
以下、その構造について添付図面を参照して説明する。
【０００４】
図１は従来の窓戸装置が適用された窓戸を示した正面図であって、その構造を説明するために矢印Ａ−Ａ線による断面を図２に図示する。
【０００５】
図２は図１の矢印Ａ−Ａ線による断面図であって、従来の窓戸装置の構造を示す。
【０００６】
従来の窓戸装置は、露出されたレール１１、１１が設けられた窓枠下部材１と、ローラー２１、２１をレール１１、１１上に配列、設置し、モヘア部材２２、２２、２２、２２とレール１１、１１によって案内されて開閉される窓の扉下部材２ａ、２ｂとで構成されている。
【０００７】
このような従来の窓戸装置は露出されたレールに沿って窓の扉が開閉されるので雨水がレールの間から排水されるため気密性、水密性、断熱性の画期的な改良が成されないのでエネルギー効率を低くする最も大きな要因として作用している。
【０００８】
そして、窓の扉を単に窓枠に嵌め込むため分解、組立が簡便であるが、強風による流動又は人力による開閉時に窓の扉の離脱可能性が高いため高層建物への使用時に窓の扉が窓枠から離脱して落下することがあって危険要素になっている。
【０００９】
また、レールの間に堆積されるホコリ及び雨水の跡は除去するのが容易ではないため清掃が難しく、ホコリの堆積を放置すると窓の扉の開閉時に堆積したホコリが飛んで空気を濁すなど清潔性の維持が難しく、レールの間の雨水排水口がホコリなどによってふさがった状態又は強風を伴う暴雨時には雨水による被害を受けることがある。
【００１０】
さらに、凹凸方式の下部構造は美観改善の限界をもたらした主な要因である。
【００１１】
発明が解決しようとする課題
従って、前記のような問題点を解決するために発明されたものであって、本発明の目的は、従来のレール構造をレールのない平面構造に改良することによって気密性、水密性、断熱性を画期的に向上させ、清潔性維持が容易で、離脱を防止して安全性を確保し、趣向と機能性による美観改善が容易で、さらに高級化した窓戸装置を提供することにある。
【００１２】
課題を解決するための手段
上記の目的を達成するために本発明は、窓枠（又は門枠）母材に表面材とレール詰込み装置溝を設け、レール詰込み装置溝に対応しレール詰込み装置母材、伸縮性部材、レール詰込み部材及びローラー支持部材からなるレール詰込み装置をレール詰込み装置溝に挿入した窓枠（又は門枠）下部材と、レール詰込み装置と対応するように突出部が設けられた高さ調節ローラーを窓の扉（又は門の扉）母材に設けられたローラー溝に挿入してローラーが突出部とレール詰込み装置によって案内されて駆動されるようにし、窓の扉（又は門の扉）母材と表面材の間の気密性を維持するためにガスケットを設置した窓の扉（又は門の扉）下部材と、窓枠（又は門枠）母材が窓枠（又は門枠）下部材の窓枠（又は門枠）母材と同一であるが、レール詰込み装置溝を窓の扉（又は門の扉）上部材の上端挿入部が挿入される支持溝にした窓枠（又は門枠）上部材と、上端挿入部に離脱防止調節ローラーを設置して窓の扉（又は門の扉）の離脱防止構造を形成した窓の扉（又は門の扉）上部材で構成されて平面構造としたことを特徴とするレール詰込み形スライディング窓戸装置を提供する。
【００１３】
発明を実施するための最良の形態
以下、本発明の実施例について添付図面を参照して説明する。
【００１４】
以下に説明する断面図において、「室外側、室内側」と表記したものは各々図面の「左側、右側」を意味する。
【００１５】
図３は、本発明のレール詰込み形窓戸装置が適用された窓戸を室外から見た立面図であって、その構造を説明するために矢印Ｂ−Ｂ、Ｃ−Ｃ線による断面図を図４、図６、図７、図８、図１０、図１１に示す。
【００１６】
図４、図６及び図７は、図３のＢ−Ｂ線による断面図であって、レール詰込み形スライディング窓戸装置の重要構成要素を図示する。
【００１７】
図４で、窓枠下部材３は窓枠母材３１に表面材３２、３２、３２とレール詰込み装置３８、３８の設置のためのレール詰込み装置溝３３、３３を設け、レール詰込み装置溝３３、３３と対応しレール詰込み装置母材３４、伸縮性部材３５、レール詰込み部材３６及びローラー支持部材３７で構成されたレール詰込み装置３８を窓枠母材３１に設けられたレール詰込み装置溝３３、３３に挿入することによって平面構造を形成する。（図５のレール詰込み装置の構造図参照）
窓の扉下部材４ａ、４ｂは、レール詰込み装置３８、３８と対応するように突出部４１、４１が設けられた高さ調節ローラー４２、４２を窓の扉母材４３、４３に設けられたローラー溝４４、４４に挿入してローラー４２、４２が突出部４１、４１とレール詰込み装置３８、３８によって案内されて駆動されるようにし、窓の扉母材４３、４３と表面材３２、３２、３２の間の気密性を維持するためにガスケット４５、４５、４５、４５を設置し窓枠下部材３と対応するように構成する。
【００１８】
前記窓枠下部材３のレール詰込み装置３８、３８と窓の扉下部材４ａ、４ｂの突出部４１、４１が設けられた高さ調節ローラー４２、４２の作動及び駆動原理を説明すると次の通りである。
【００１９】
ローラー４２、４２の突出部４１、４１は、レール詰込み装置３８、３８のレール詰込み部材３６を押さえて伸縮性部材３５を収縮させローラー支持部材３７の間に設けられる溝に挿入され、ローラー４２、４２は、突出部４１、４１とローラー支持部材３７の間の溝に案内されて駆動する。ローラー４２、４２が駆動されると、収縮された伸縮性部材３５は原状復帰し、レール詰込み部材３６はローラー支持部材３７の間の溝を詰め込むことによって平面をなす。
【００２０】
図６と図７で、前記図４の平面構造を額縁形構造に形成するために、窓枠下部材５、６は、窓枠母材５１、６１に表面材５２、５２、５２、６２、６２、６２を額縁形に設けることによって雨水の外部への案内を円滑にし、美観を額縁形に形成する。
【００２１】
窓の扉下部材７ａ、７ｂは窓枠下部材５、６と対応するように高さを調整する。
【００２２】
図８、図１０、図１１は、図３のＣ−Ｃ線による断面図であって、レール詰込み形窓戸装置の重要構成要素を図示する。
【００２３】
図８で、窓枠上部材８の窓枠母材８１は、前記図４の窓枠下部材３の窓枠母材３１と同一であるが、窓戸の上部に設置されることによってレール詰込み装置溝３３、３３を窓の扉上部材９ａ、９ｂの上端挿入部９１、９１が挿入される支持溝８２、８２とする。
【００２４】
窓の扉上部材９ａ、９ｂは、窓枠上部材８と対応するように上端挿入部９１、９１を設け、上端挿入部９１、９１の切断部９２を切断して窓の扉の離脱を防止する離脱防止調節ローラー９３、９３を設置する。（図９の設置図参照）
窓の扉の離脱が防止される構造を説明すると次の通りである。
【００２５】
上端挿入部９１、９１の設置のために離脱防止調節ローラー９３、９３の高さを下向調節し、上端挿入部９１、９１を支持溝８２、８２に深く挿入して下部材の設置を容易にし、下部材の設置後、上端挿入部９１、９１と支持溝８２、８２との間に形成される内部空間を離脱防止調節ローラー９３、９３の高さを上向き調節することにより仕上げをする。
【００２６】
図８は設置が完了した状態の図面であって、窓の扉上部材９ａ、９ｂは、離脱防止調節ローラー９３、９３によって離脱が不可能な状態とされている。
【００２７】
窓枠上部材８の窓枠母材８１も窓枠下部材３の窓枠母材３１と同一なため平面構造を額縁形構造で形成することができる。
【００２８】
図１０、図１１は額縁形構造の窓枠上部材１０、２０と、これと対応するように高さが調整された窓の扉上部材３０ａ、３０ｂを示す。
【００２９】
図１２は本発明で室外側窓の扉が固定窓で代替された窓戸を室外から見た立面図であって、その構造を説明するために矢印Ｄ−Ｄ、Ｅ−Ｅ線による断面図を図１３、図１４に図示する。
【００３０】
図１３で、窓枠下部材３は、室外側レール詰込み装置溝３９に固定窓４０を設置し、ガスケット４０１と支持部材４０２で仕上げをすることにより室外側窓の扉４ａを代替する。
【００３１】
図１４で、窓枠上部材８は、室外側支持溝８３に固定窓４０を設置し、ガスケット４０１で仕上げをすることにより室外側窓の扉９ａを代替する。
【００３２】
図１５は本発明で室内側窓の扉が固定窓で代替された窓戸を室外から見た立面図であって、その構造を説明するために矢印Ｆ−Ｆ、Ｇ−Ｇ線による断面図を図１６、図１７に図示する。
【００３３】
図１６で、窓枠下部材３は、室内側レール詰込み装置溝３ａに固定窓５０を設置し、ガスケット５０１、５０１と支持部材５０２で仕上げをすることにより室内側窓の扉４ｂを代替する。
【００３４】
図１７で、窓枠上部材８は、室内側支持溝８４に固定窓５０を設置し、ガスケット５０１、５０１で仕上げをすることにより室内側窓の扉９ｂを代替する。
【００３５】
図１８は前記図１３、図１４、図１６、図１７で固定窓４０、５０のない区間の溝６０を固定窓溝蓋７０で仕上げをした部分の図面である。
【００３６】
発明の効果
前述のように本発明によると、従来はレールが露出されているためレールに排水口を設けて雨水を配水したが、本発明で表面上で雨水を外部に案内するため室内への流入が根本的に遮断され、排水口を別途に設けないため気密性、水密性、断熱性を向上させることができ、加工工程が減るため生産性を向上させることができる。
【００３７】
また、上部構造では離脱防止の構造を適用して窓の扉の上、下流動を防止するので、別途の手動操作なしでは強風による流動又は人力による開閉時に離脱する問題点を解決して安全性を確保した。
【００３８】
さらに、従来の窓戸装置はレールが摩耗すると窓の扉の流動と騷音が発生しこれを解決するために窓枠全体を交替しなければならない問題点があったが、本発明は、レール詰込み装置だけ交替すればいいため従来の窓戸装置の交替による各種費用及び時間などを節減することができる。
【００３９】
また、本発明は、従来のような凹凸構造ではない表面構造を形成しているためホコリの堆積が防止されて清潔性の維持が容易で、趣向と機能性によって平面形又は額縁形など美観の改良が容易になった。
【００４０】
このように本発明で従来技術の問題点を全て解決し、さらに高級化された窓戸を提供することができる。
【図面の簡単な説明】
【図１】  従来の窓戸装置が適用された窓戸を室外から見た立面図である。
【図２】  図１の矢印Ａ−Ａ線による断面図である。
【図３】  本発明のレール詰込み形窓戸装置が適用された窓戸を室外から見た立面図である。
【図４】  図３の矢印Ｂ−Ｂ線による断面図である。
【図５】  図４のレール詰込み装置の構造図である。
【図６】  図４の他の実施例である。
【図７】  図４の他の実施例である。
【図８】  図３の矢印Ｃ−Ｃ線による断面図である。
【図９】  図８の離脱防止ローラーの設置図である。
【図１０】  図８の他の実施例である。
【図１１】  図８の他の実施例である。
【図１２】  本発明において室外側窓の扉（又は門の扉）が固定窓（又は固定門）で代替された窓戸を室外から見た立面図である。
【図１３】  図１２の矢印Ｄ−Ｄ線による断面図である。
【図１４】  図１２の矢印Ｅ−Ｅ線による断面図である。
【図１５】  本発明において室内側窓の扉（又は門の扉）が固定窓（又は固定門）で代替された窓戸を室外から見た立面図である。
【図１６】  図１５の矢印Ｆ−Ｆ線による断面図である。
【図１７】  図１５の矢印Ｇ−Ｇ線による断面図である。
【図１８】  固定窓（又は固定門）溝蓋の設置図である。
【図１】
0004472908.tif 000002
【図２】
0004472908.tif 000003
【図３】
0004472908.tif 000004
【図４】
0004472908.tif 000005
【図５】
0004472908.tif 000006
【図６】
0004472908.tif 000007
【図７】
0004472908.tif 000008
【図８】
0004472908.tif 000009
【図９】
0004472908.tif 000010
【図１０】
0004472908.tif 000011
【図１１】
0004472908.tif 000012
【図１２】
0004472908.tif 000013
【図１３】
0004472908.tif 000014
【図１４】
0004472908.tif 000015
【図１５】
0004472908.tif 000016
【図１６】
0004472908.tif 000017
【図１７】
0004472908.tif 000018
【図１８】
0004472908.tif 000019